(57)【要約】【課題】蓄熱システムと熱利用装置とを含む冷暖房設備などのエネルギー効率を全体的に改善できる蓄熱システムを提供する。【解決手段】  蓄熱システムは、熱エネルギー利用情報取得部２０ａにより熱エネルギー利用情報を取得し、空気調和装置ＣＯＰ取得部２０ｂにより空気調和装置に関するＣＯＰを取得し、放熱ロス取得部２０ｃより蓄熱槽の放熱ロスを取得し、熱源ＣＯＰ取得部２０ｄにより熱源のＣＯＰを取得する。蓄熱体温度制御部２０ｅは、熱エネルギー利用情報、空気調和装置のＣＯＰ、放熱ロス、及び熱源ＣＯＰに基づいて蓄熱体の目標温度を算出して蓄熱体の温度を制御する。【選択図】図２
2010216698.tif 000002
【特許請求の範囲】
【請求項１】
熱利用装置（２）で使用される熱エネルギーを供給する蓄熱システム（１，１Ａ，１Ｂ）であって、
前記熱利用装置に熱エネルギーを供給するとともに熱エネルギーを顕熱で蓄える蓄熱体（５）と、
前記蓄熱体を収容する蓄熱槽（６，６０）と、
前記蓄熱体に熱エネルギーを供給する熱源（７，７１，７２）と、
前記熱利用装置における熱エネルギー利用状況に関する熱エネルギー利用情報を取得する熱エネルギー利用情報取得手段（２０ａ）と、
前記熱エネルギー利用情報に対応した前記熱利用装置の利用側成績係数を取得する利用側成績係数取得手段（２０ｂ）と、
前記蓄熱槽の放熱ロスを取得する放熱ロス取得手段（２０ｃ）と、
前記熱源の熱源側成績係数を取得する熱源側成績係数取得手段（２０ｄ）と、
前記熱エネルギー利用情報取得手段が取得した前記熱エネルギー利用情報、前記成績係数取得手段が取得した前記利用側成績係数、前記放熱ロス取得手段が取得した前記放熱ロス、及び前記熱源側取得手段が取得した前記熱源側成績係数に基づいて前記蓄熱体の目標温度を算出して前記蓄熱体の温度を制御する蓄熱体温度制御手段（２０ｅ）と
を備える蓄熱システム。
【請求項２】
前記熱利用装置は、空気調和装置（２）であり、
前記熱エネルギー利用情報取得手段は、前記空気調和装置の冷房エネルギーＱcd、及び前記空気調和装置の暖房エネルギーＱhdという前記熱エネルギー利用情報を取得し、
前記利用側成績係数取得手段は、前記空気調和装置の冷房の成績係数ＣＯＰvrvc、及び前記空気調和装置の暖房の成績係数ＣＯＰvrvhという前記利用側成績係数を取得し、
前記放熱ロス取得手段は、前記蓄熱槽の放熱ロスＱlossを取得し、
前記熱源側成績係数取得手段は、前記熱源の成績係数ＣＯＰchを取得し、
前記蓄熱体温度制御手段は、Ｗ＝（Ｑloss＋｜（1＋1／ＣＯＰvrvc）×Ｑcd−（1−1／ＣＯＰvrvh）×Ｑhd｜）／ＣＯＰch＋Ｑcd／ＣＯＰvrvc＋Ｑhd／ＣＯＰvrvhという式により与えられる消費電力Ｗを小さくする方向に前記目標温度を変更して前記蓄熱体の温度を制御する、請求項１に記載の蓄熱システム。
【請求項３】
前記熱利用装置は、空気調和装置（２）であり、
前記熱エネルギー利用情報取得手段は、前記空気調和装置の熱交換器入力エネルギー（Ｑvrvc−Ｑvrvh）、前記空気調和装置の冷房エネルギーＱcd、及び前記空気調和装置の暖房エネルギーＱhdという前記熱エネルギー利用情報を取得し、
前記利用側成績係数取得手段は、前記空気調和装置の冷房の成績係数ＣＯＰvrvc、及び前記空気調和装置の暖房の成績係数ＣＯＰvrvhという前記利用側成績係数を取得し、
前記放熱ロス取得手段は、前記蓄熱槽の放熱ロスＱlossを取得し、
前記熱源側成績係数取得手段は、前記熱源の成績係数ＣＯＰchを取得し、
前記蓄熱体温度制御手段は、Ｗ＝（Ｑloss＋｜Ｑvrvc−Ｑvrvh｜）／ＣＯＰch＋Ｑcd／ＣＯＰvrvc＋Ｑhd／ＣＯＰvrvhという式により与えられる消費電力Ｗを小さくする方向に前記目標温度を変更して前記蓄熱体の温度を制御する、請求項１に記載の蓄熱システム。
【請求項４】
前記蓄熱槽は、３つ以上の複数エリア（６０ａ，６０ｂ，６０ｃ，６０ｄ）からなり、
前記蓄熱体は、前記複数エリアに分割して収容され、
前記蓄熱体温度制御手段は、前記複数エリアをエリア毎に温度制御する、請求項１から３のいずれかに記載の蓄熱システム。
【請求項５】
前記蓄熱体は水（５）である、請求項１から４のいずれかに記載の蓄熱システム。
【発明の詳細な説明】
【技術分野】
【０００１】
本発明は、蓄熱システムに関し、特に冷房や暖房のための熱エネルギーを蓄えるための蓄熱システムに関する。
【背景技術】
【０００２】
従来から、ビルディングや公共施設等の冷暖房設備に蓄熱システムを備えたものがある。そして近年、エネルギーの有効利用の観点から蓄熱システムに対する関心が高まっている。従来の水蓄熱システムでは、熱エネルギーを水に蓄えて、エネルギーの蓄えられた水が蓄熱槽に貯留される。例えば、夜間電力や温泉や風呂の排熱等の安価なエネルギーを活用して冷温水を水蓄熱槽に貯めて、その水蓄熱槽に蓄えられた熱エネルギーでビルディングの各部屋や公共施設の各部の空気調和を行っている。
【０００３】
このようなビルディングや公共施設などの冷暖房設備においても、大きな施設の各部の冷房や暖房はそれぞれ個別に行われており、季節や冷暖房設備の利用状況及び使用態様などにより、冷暖房設備に供給される熱媒体としての水の温度の最適値が変化する。例えば、特許文献１（特開平８−７５２２０公報）に示されるように、一つの冷凍機に対して供給される冷水について、冷房負荷の多い夏季に比べて冷房負荷が小さくなる冬季や冬季と夏季の間の中間期に、冷水入口温度を夏季に比べて高くすることで、その冷凍機の成績係数の向上や電力の節約を図っている。
【発明の概要】
【発明が解決しようとする課題】
【０００４】
しかし、冬季や中間期に外気湿球温度の低下に応じて冷水入口温度を変えても、大規模なビルディングや公共施設などの冷暖房設備においては、冷暖房設備の利用状況や使用態様を考慮するとともに蓄熱システムにおける熱源での熱エネルギーの蓄熱や保存の効率も考慮しなければ、蓄熱システムを含めた冷暖房設備の全体のエネルギー効率を考えるとかえって効率を低下させる場合があり、あるいは十分に成績係数の向上や電力の節減効果を引き出せない場合があるという問題がある。
【０００５】
本発明の課題は、蓄熱システムと熱利用装置とを含む冷暖房設備などのエネルギー効率を全体的に改善できる蓄熱システムを提供することにある。
【課題を解決するための手段】
【０００６】
第１発明に係る蓄熱システムは、熱利用装置で使用される熱エネルギーを供給する蓄熱システムであって、熱利用装置に熱エネルギーを供給するとともに熱エネルギーを顕熱で蓄える蓄熱体と、蓄熱体を収容する蓄熱槽と、蓄熱体に熱エネルギーを供給する熱源と、熱エネルギー利用情報取得手段と、利用側成績係数取得手段と、放熱ロス取得手段と、熱源側成績係数取得手段と、蓄熱体温度制御手段とを備えている。
【０００７】
熱エネルギー利用情報取得手段は、熱利用装置における熱エネルギー利用状況に関する熱エネルギー利用情報を取得する。利用側成績係数取得手段は、熱エネルギー利用情報に対応した熱利用装置の利用側成績係数を取得する。放熱ロス取得手段は、蓄熱槽の放熱ロスを取得する。熱源側成績係数取得手段は、熱源の熱源側成績係数を取得する。蓄熱体温度制御手段は、熱エネルギー利用情報取得手段が取得した熱エネルギー利用情報、成績係数取得手段が取得した利用側成績係数、放熱ロス取得手段が取得した放熱ロス、及び熱源側取得手段が取得した熱源側成績係数に基づいて蓄熱体の目標温度を算出して蓄熱体の温度を制御する。
【０００８】
本発明によれば、蓄熱体の目標温度の算出が、熱エネルギー利用情報、利用側成績係数、放熱ロス及び熱源側成績係数に基づいて行われるため、熱利用装置と蓄熱システムを含む全体のエネルギー効率を考慮して目標温度の計算を行うことができる。
【０００９】
第２発明に係る蓄熱システムは、第１発明の蓄熱システムであって、熱利用装置が空気調和装置である。そして、熱エネルギー利用情報取得手段は、空気調和装置の冷房エネルギーＱcd、及び空気調和装置の暖房エネルギーＱhdという熱エネルギー利用情報を取得する。利用側成績係数取得手段は、空気調和装置の冷房の成績係数ＣＯＰvrvc、及び空気調和装置の暖房の成績係数ＣＯＰvrvhという利用側成績係数を取得する。放熱ロス取得手段は、蓄熱槽の放熱ロスＱlossを取得する。熱源側成績係数取得手段は、熱源の成績係数ＣＯＰchを取得する。蓄熱体温度制御手段は、Ｗ＝（Ｑloss＋（1+1／ＣＯＰvrvc）×Ｑcd-（1-1／ＣＯＰvrvh）×Ｑhd）／ＣＯＰch＋Ｑcd／ＣＯＰvrvc＋Ｑhd／ＣＯＰvrvhという式により与えられる消費電力Ｗを小さくする方向に目標温度を変更して蓄熱体の温度を制御する。
【００１０】
本発明によれば、Ｗ＝（Ｑloss＋（1+1/ＣＯＰvrvc）×Ｑcd-（1-1/ＣＯＰvrvh）×Ｑhd）／ＣＯＰch＋Ｑcd／ＣＯＰvrvc＋Ｑhd／ＣＯＰvrvhという式に従って、消費電力を小さくするように目標温度を設定することができる。
【００１１】
第３発明に係る蓄熱システムは、第１発明の蓄熱システムであって、熱利用装置が空気調和装置である。そして、熱エネルギー利用情報取得手段は、空気調和装置の熱交換器入力エネルギー（Ｑvrvc−Ｑvrvh）、空気調和装置の冷房エネルギーＱcd、及び空気調和装置の暖房エネルギーＱhdという熱エネルギー利用情報を取得する。利用側成績係数取得手段は、空気調和装置の冷房の成績係数ＣＯＰvrvc、及び空気調和装置の暖房の成績係数ＣＯＰvrvhという利用側成績係数を取得する。放熱ロス取得手段は、蓄熱槽の放熱ロスＱlossを取得する。熱源側成績係数取得手段は、熱源の成績係数ＣＯＰchを取得する。蓄熱体温度制御手段は、Ｗ＝（Ｑloss＋Ｑvrvc-Ｑvrvh）／ＣＯＰch＋Ｑcd／ＣＯＰvrvc＋Ｑhd／ＣＯＰvrvhという式により与えられる消費電力Ｗを小さくする方向に目標温度を変更して蓄熱体の温度を制御する。
【００１２】
本発明によれば、Ｗ＝（Ｑloss＋Ｑvrvc-Ｑvrvh）／ＣＯＰch＋Ｑcd／ＣＯＰvrvc＋Ｑhd／ＣＯＰvrvhという式に従って、消費電力を小さくするように目標温度を設定することができる。
【００１３】
第４発明に係る蓄熱システムは、第１発明から第３発明のいずれかの蓄熱システムであって、蓄熱槽が複数エリアからなる。蓄熱体は、複数エリアに分割して収容される。蓄熱体温度制御手段は、複数エリアをエリア毎に温度制御する。
【００１４】
本発明によれば、蓄熱槽の複数エリアに収容された蓄熱体のうち、目標温度を制御する蓄熱体の体積を小さくする方が蓄熱槽におけるエネルギーロスを小さくできる場合と、蓄熱体の体積を大きくして目標温度を周囲温度に近づける方がエネルギーロスを小さくできる場合の選択ができ、蓄熱槽におけるエネルギーロスの改善を行うことができる。
【００１５】
第５発明に係る蓄熱システムは、第１発明から第４発明のいずれかの蓄熱システムであって、蓄熱体が水である。
【００１６】
本発明によれば、安定で扱い易くかつ比熱の大きな水を蓄熱体として用いるので、目標温度の算出や制御が容易になる。
【発明の効果】
【００１７】
第１発明に係る蓄熱システムでは、熱利用装置と蓄熱システムを含む全体のエネルギー効率を考慮して目標温度の計算を行え、全体のエネルギー効率がよくなるように蓄熱体の目標温度を設定できる。
【００１８】
第２発明に係る蓄熱システムでは、熱利用装置と蓄熱システムを含む全体の消費電力が小さくなるように目標温度を設定することができる。
【００１９】
第３発明に係る蓄熱システムでは、熱利用装置と蓄熱システムを含む全体の消費電力が小さくなるように目標温度を設定することができる。
【００２０】
第４発明に係る蓄熱システムでは、蓄熱槽におけるエネルギーロスの改善を全体のエネルギー効率の改善に結びつけることができる。
【００２１】
第５発明に係る蓄熱システムでは、目標温度の設定が容易で、取り扱いの簡単なシステムを提供することができる。
【図面の簡単な説明】
【００２２】
【図１】第１実施形態の蓄熱システムの構成を説明するための概略図。
【図２】本発明の蓄熱システムの構成を説明するためのブロック図。
【図３】第１実施形態の蓄熱システムにおける目標温度制御を説明するためのフローチャート。
【図４】第２実施形態の蓄熱システムの構成を説明するための概略図。
【図５】（ａ）第２実施形態の蓄熱システムの一状態を示す模式図。（ｂ）第２実施形態の蓄熱システムの他の状態を示す模式図。（ｃ）第２実施形態の蓄熱システムの他の状態を示す模式図。（ｄ）第２実施形態の蓄熱システムの他の状態を示す模式図。
【図６】第３実施形態の蓄熱システムの構成を説明するための概略図。
【発明を実施するための形態】
【００２３】
〔第１実施形態〕
第１実施形態による蓄熱システムについて図１を用いて説明する。図１には、蓄熱システム１と、蓄熱システム１から熱エネルギーの供給を受ける熱利用装置としての空気調和装置２とが示されている。空気調和装置２は、多数の室外機３ａ，…３ｂと多数の室内機４ａａ，…４ａｂ，４ｂａ，…４ｂｂからなるビルマルチ方式の空気調和装置である。例えば１台の室外機３ａに複数の室内機４ａａ，…４ａｂが接続されて一つの系統が構成される。ここでは、説明を簡単にするために、一つの系統では、暖房か冷房のいずれかが行われるものとする。つまり、室内機４ａａ，…４ａｂは、稼動しているものが全て暖房か、または全て冷房かのいずれかの状態にある。一般的に、室内機４ａａ，…４ａｂ，４ｂａ，…４ｂｂにおいては、暖房や冷房以外に除湿や送風など他の空気調和も行われるが、熱エネルギーの遣り取りに与える影響が極めて小さいことから、暖房と冷房以外の空気調和に関しては説明を省略する。
【００２４】
＜水熱媒の循環＞
蓄熱システム１は、蓄熱体であるとともに熱媒体でもある水熱媒５を収容するための蓄熱槽６と蓄熱槽６の水熱媒５に熱エネルギーを供給するための熱源７とを備えている。また、蓄熱槽６から空気調和装置２に水熱媒５を循環させるため、蓄熱システム１は、配管１０ａ，１０ｂ，１３ａ，…１３ｂと、往きヘッダ８及び戻りヘッダ９と、冷暖切替バルブ１１ａ，１１ｂ，１１ｃ，１１ｄと、多数の開閉バルブ１２ａ，…１２ｂと、ポンプ１４とを備えている。蓄熱槽６は、比較的温度の低い水熱媒５が貯留されている低温側６ａと、比較的温度の高い水熱媒５が貯留されている高温側６ｂとに分かれる。これら低温側６ａと高温側６ｂとの間では互いに水熱媒５の行き来がある。そのため、ポンプ１４により蓄熱槽６の低温側６ａまたは高温側６ｂから、往きヘッダ８、空気調和装置２及び戻りヘッダ９を経由して高温側６ｂまたは低温側６ａへ循環する水熱媒５が、蓄熱槽６内では、低温側６ａ及び高温側６ｂの一方から他方に移動する。
【００２５】
空気調和装置２において冷房負荷の方が暖房負荷よりも大きくて全体として冷房負荷とみなせるときは、低温側６ａの配管１０ａから冷たい水熱媒５を取り込み、冷たい水熱媒５を空気調和装置２に循環させて、配管１０ｂから高温側６ｂに温かい水熱媒５を戻す。低温側６ａから取水して高温側６ｂに排水するためには、冷暖切替バルブ１１ａ，１１ｄを閉じて冷暖切替バルブ１１ｂ，１１ｃを開く。逆に、空気調和装置２において暖房負荷の方が冷房負荷よりも大きくて全体として暖房負荷とみなせるときは、高温側６ｂから配管１０ｂで温かい水熱媒５を取り込み、低温側６ａに配管１０ａで冷たい水熱媒５を排水するために、冷暖切替バルブ１１ａ，１１ｄを開いて冷暖切替バルブ１１ｂ，１１ｃを閉じる。
【００２６】
配管１０ａまたは配管１０ｂにより往きヘッダ８に送られた水熱媒５は、往きヘッダ８で配管１３ａ、…１３ｂに分配されて室外機３ａ，…３ｂに個別に送られる。このとき、室外機３ａ，…３ｂのうち稼動していないものには水熱媒５が送られず、そのために、稼動していないものに対応した開閉バルブ１２ａ，…１２ｂが閉じられている。室外機３ａ，…３ｂで熱交換を終えた水冷媒５は配管１３ａ，…１３ｂから戻りヘッダ９で集められて配管１０ｂまたは配管１０ａにより蓄熱槽６に送られる。このとき、ポンプ１４により室外機３ａ，…３ｂに送られる水熱媒５の流量が個別に調節される。
【００２７】
熱源７は、複数のチラー７ａ，…７ｂからなる。熱源７に水熱媒５を循環させるため、蓄熱システム１は、冷暖切替バルブ１５ａ，１５ｂ，１５ｃ，１５ｄと、往きヘッダ１６及び戻りヘッダ１７と、ポンプ１８と、配管１０ｃ，１０ｄ，１９ａ，…１９ｂとを備えている。
【００２８】
空気調和装置２で冷房負荷が大きいときは、高温側６ｂから配管１０ｄで温かい水熱媒５を取り込み、温かい水熱媒５を熱源７に配管１９ａ，…１９ｂで循環させて、低温側６ａに配管１０ｃで冷たい水熱媒５を戻すために、冷暖切替バルブ１５ａ，１５ｄを閉じて冷暖切替バルブ１５ｂ，１５ｃを開く。逆に、暖房負荷が大きいときは、低温側６ａから冷たい水熱媒５を取り込み、冷たい水熱媒５を熱源７に循環させて、高温側６ｂに温かい水熱媒５を戻すため、冷暖切替バルブ１５ａ，１５ｄを開いて冷暖切替バルブ１５ｂ，１５ｃを閉じる。
【００２９】
チラー７ａ，…７ｂは、要求される能力に応じて最も効率がよくなるように組合わせて用いられる。そのためにチラー７ａ，…７ｂのうちのいずれに水熱媒５を流すかは、ポンプ１８のオンオフにより選択され、またポンプ１８により水熱媒５の流量が調節される。
【００３０】
＜制御のための計測機器＞
次に、蓄熱システム１における制御について図１、図２及び図３を用いて説明する。ここでは、説明を分かり易くするために制御に関する説明の範囲としては、目標温度に関する制御に重点をおいて行う。図２は、図１に示す蓄熱システム１の制御を説明するためのブロック図である。蓄熱システム１は、制御を行うための制御部２０以外に、多数の温度センサと、多数の電力計と、多数の流量計とを備えている。
【００３１】
図２に示すように制御部２０に接続されている温度センサには、利用装置熱媒体入口温度センサ２２、利用装置熱媒体出口温度センサ２３、往きヘッダ熱媒体温度センサ２４、戻りヘッダ熱媒体温度センサ２５、蓄熱槽温度センサ２６、周囲温度センサ２７、熱源熱媒体入口温度センサ２８、及び熱源熱媒体出口温度センサ２９がある。利用装置熱媒体入口温度センサ２３には、室外機３ａ，…３ｂにおける熱交換のために室外機３ａ，…３ｂに流入する水熱媒５の温度を測定する室外機用入口温度センサ２２ａ，…２２ｂが含まれる。利用装置熱媒体出口温度センサ２３には、室外機３ａ，…３ｂにおける熱交換後に室外機３ａ，…３ｂから流出する水熱媒５の温度を測定する室外機用出口温度センサ２３ａ，…２３ｂが含まれる。往きヘッダ熱媒体温度センサ２４は、往きヘッダ８の上流に設けられ、往きヘッダ８に流入する水熱媒５の温度を測定する。戻りヘッダ熱媒体温度センサ２５は、戻りヘッダ９の下流に設けられ、戻りヘッダ９から流出する水熱媒５の温度を測定する。
【００３２】
蓄熱槽温度センサ２６には、低温側６ａの温度の中でも特に配管１０ａの入口の水熱媒５（蓄熱体）の温度を測定する低温側温度センサ２６ａ、及び高温側６ｂの温度の中でも特に配管１０ｂの入口の水熱媒５の温度を測定する高温側温度センサ２３ｂが含まれる。周囲温度センサ２７には、室外機３ａ，…３ｂの周囲の雰囲気の温度を測定する温度センサ２７ａ、蓄熱槽６の周囲の雰囲気の温度を測定する温度センサ２７ｂ、及び熱源７の周囲の雰囲気の温度を測定する温度センサ２７ｃが含まれる。
【００３３】
熱源熱媒体入口温度センサ２８には、熱源７から熱エネルギーの供給を受けるためチラー７ａ，…７ｂに流入する水熱媒５の温度を測定するチラー用入口温度センサ２８ａ，…２８ｂが含まれる。熱源熱媒体出口温度センサ２９には、熱源７から熱エネルギーの供給を受けてチラー７ａ，…７ｂから流出する水熱媒５の温度を測定するチラー用出口温度センサ２９ａ，…２９ｂが含まれる。図２の利用装置電力計３１には、系統別電力計３１ａ，…３１ｂが含まれる。系統別電力計３１ａ，…３１ｂは、室外機３ａ，…３ｂに接続されている系統の電力量を計測する。
【００３４】
図２に示すように制御部２０に接続されている流量計には、利用装置熱媒体流量計３２である室外機用流量計３２ａ，…３２ｂ、ヘッダ用熱媒体流量計３３、熱源熱媒体流量計３４であるチラー用流量計３４ａ，…３４ｂが含まれる。室外機用流量計３２ａ，…３２ｂは、熱交換のために室外機３ａ，…３ｂにそれぞれ流れる水熱媒５の流量を測定する。チラー用流量計３４ａ，…３４ｂは、熱交換のためにチラー７ａ，…７ｂにそれぞれ流れる水熱媒５の流量を測定する。
【００３５】
＜制御部＞
上述のような計測機器から受けた情報に基づいて制御部２０が目標温度を設定して蓄熱槽６の温度を制御する。目標温度の制御のために、制御部２０は、熱エネルギー利用情報取得部２０ａと、空気調和装置ＣＯＰ取得部２０ｂと、放熱ロス取得部２０ｃと、熱源ＣＯＰ取得部２０ｄと、蓄熱体温度制御部２０ｅと、エネルギー利用関連情報記憶部２０ｆと、空気調和装置ＣＯＰ記憶部２０ｇと、蓄熱槽放熱特性記憶部２０ｈと，熱源ＣＯＰ記憶部２０ｉとを備えている。
【００３６】
（１）熱エネルギー利用情報の取得
熱エネルギー利用情報取得部２０ａは、空気調和装置２（熱利用装置）における熱エネルギー利用状況に関する熱エネルギー利用情報を取得する。取得する熱エネルギー利用状況には、空気調和装置２の冷房エネルギーＱcd〔ｋＷ〕、暖房エネルギーＱhd〔ｋＷ〕、熱交換器入力エネルギー（Ｑvrvc−Ｑvrvh）〔ｋＷ〕などがある。ここで、Ｑvrvcは冷房を行っている系統の熱交換器入力エネルギーであり、Ｑvrvhは、暖房を行っている系統の熱交換器入力エネルギーである。（Ｑvrvc−Ｑvrvh）は冷房負荷が大きい場合を表しており、暖房負荷が大きい場合には（Ｑvrvh−Ｑvrvc）になる。熱エネルギー利用情報取得部２０ａは、これらの情報を直接的に、または間接的に取得する。空気調和装置２の冷房エネルギーＱcd及び暖房エネルギーＱhdを取得する方法は種々あるが、例えば、熱エネルギー利用情報取得部２０ａが取得した冷房エネルギーＱcd及び暖房エネルギーＱhdを各室外機３ａ，…３ｂに水熱媒５から与えられる熱エネルギーから取得することができる。そのために、熱エネルギー利用情報取得部２０ａは、利用装置熱媒体入口温度センサ２２の室外機用入口温度センサ２２ａ，…２２ｂ及び、利用装置熱媒体出口温度センサ２３の室外機用出口温度センサ２３ａ，…２３ｂが測定した水熱媒５の温度が入力される。熱エネルギー利用情報取得部２０ａは、利用装置熱媒体流量計３２の室外機用流量計３２ａ，…３２ｂにより測定された室外機３ａ，…３ｂに流れる水熱媒５の流量が入力される。そして、熱エネルギー利用情報取得部２０ａは、室外機３ａ，…３ｂにおける熱交換前と後の水熱媒５の温度差と流量から、室外機３ａ，…がそれぞれ受け取った熱量を得る。また、利用装置電力計３１の系統別電力計３１ａ，…３１ｂから各系統の消費電力を得る。
【００３７】
これら室外機３ａ，…３ｂが受け取った熱量の大部分が室内機４ａａ，…４ａｂ、４ｂａ，…４ｂｂから室内空気に与えられる。このとき一部は熱交換器や配管の放熱などで逃げるため系統毎に損失の大きさは異なるが、各系統の室外機３ａ，…３ｂに入力される熱エネルギーと室内機４ａａ，…４ａｂ、４ｂａ，…４ｂｂから出力される熱エネルギーの関係を予め測定してエネルギー利用関連情報記憶部２０ｆに記憶させておくことができる。熱エネルギー利用情報取得部２０ａは、室外機用入口温度センサ２２ａ，…２２ｂ、室外機用出口温度センサ２３ａ，…２３ｂ、室外機用流量計３２ａ，…３２ｂ及び系統別電力計３１ａ，…３１ｂの測定結果に基づいて、冷房を行っている系統と暖房を行っている系統に分けて、それぞれ、室外機３ａ，…３ｂが受け取った熱エネルギーから消費電力を差し引くことにより、冷房エネルギーＱcd及び暖房エネルギーＱhdを算出することができる。
【００３８】
なお、外気温度によって熱交換器や配管での放熱などが異なる場合には、外気温度を測定する温度センサ２７ａの測定値に基づいて補正をすることができる。その場合にも、予め外気温度によって各系統の室外機３ａ，…３ｂに入力される熱エネルギーと室内機４ａａ，…４ａｂ、４ｂａ，…４ｂｂから出力される熱エネルギーの関係がどのように変化するかを測定しておき、その変化の関係をエネルギー利用関連情報記憶部２０ｆに記憶させておく。また、このような補正は、他のパラメータを用いて行ってもよい。
【００３９】
また、冷房エネルギーＱcd及び暖房エネルギーＱhdを取得する簡便な方法として、利用装置電力計３１の系統別電力計３１ａ，…３１ｂが計測した室外機２２ａ，…２２ｂの消費電力と温度センサ２７ａが測定した室外機３ａ，…３ｂの外気の温度を得ることにより取得することもできる。予め一つの系統が、冷房を行っているときの室外機３ａ，…３ｂの外気温度と消費電力と冷房エネルギーＱcdとの関係を計測してデータを得ておくことにより予め外気温度と消費電力に冷房エネルギーＱcdを関連付けておけば、外気温度と消費電力が分かれば冷房エネルギーＱcdを特定することができる。この場合、冷房エネルギーＱcdを特定するために、外気温度と消費電力と冷房エネルギーＱcdとの関係を示すデータがエネルギー利用関連情報記憶部２０ｆに記憶されており、熱エネルギー利用情報取得部２０ａが室外機３ａ，…３ｂのうち冷房を行っているものの系統別電力計３１ａ，…３１ｂの測定結果と温度センサ２７ａの測定結果に基づいてエネルギー利用関連情報記憶部２０ｆから各室外機３ａ，…３ｂの冷房エネルギーＱcdを取得する。同様に、熱エネルギー利用情報取得部２０ａは、室外機３ａ，…３ｂのうち暖房を行っているものの系統別電力計３１ａ，…３１ｂの測定結果と温度センサ２７ａの測定結果に基づいてエネルギー利用関連情報記憶部２０ｆから暖房エネルギーＱhdを取得する。この場合も、エネルギー利用関連情報記憶部２０ｆには、外気温度と消費電力と暖房エネルギーＱhdとの関係を示すデータが記憶されている。
【００４０】
次に、熱エネルギー利用情報取得部２０ａは、熱交換器入力エネルギー（Ｑvrvc−Ｑvrvh）〔ｋＷ〕を、往きヘッダ熱媒体温度センサ２４で測定した水熱媒５の温度、戻りヘッダ熱媒体温度センサ２５で測定した水熱媒５の温度、及びヘッダ用熱媒体流量計３３で測定した水熱媒５の流量に基づいて取得する。往きヘッダ８に流れ込む水熱媒５と戻りヘッダ９から流れ出す水熱媒５の温度差と流量から空気調和装置２に与えられるエネルギーの総量、すなわち熱交換器入力エネルギー（Ｑvrvc−Ｑvrvh）に関連する熱量が計算される。配管１３ａ，…１３ｂなどで熱が大気中に放出されるため損失が発生するので、熱交換器入力エネルギー（Ｑvrvc−Ｑvrvh）に関連する熱量から求められた値には誤差が含まれるが、予め測定しておくかシミュレーションなどによってデータを得ておくことにより、その誤差を補正することができる。このように測定により知れる熱量と熱交換器入力エネルギー（Ｑvrvc−Ｑvrvh）との関係はエネルギー利用関連情報記憶部２０ｆに記述されている。従って、熱エネルギー利用情報取得部２０ａは、往きヘッダ熱媒体温度センサ２４、戻りヘッダ熱媒体温度センサ２５及びヘッダ用熱媒体流量計３３の測定結果に基づきエネルギー利用関連情報記憶部２０ｆから熱交換器入力エネルギー（Ｑvrvc−Ｑvrvh）を取得することができる。また、外気温などによって熱交換器入力エネルギー（Ｑvrvc−Ｑvrvh）が変動する場合には、得られた熱交換器入力エネルギー（Ｑvrvc−Ｑvrvh）を温度センサ２７ａで測定した外気温度などによって補正することもできる。
【００４１】
なお、Ｑvrvcは冷房エネルギーＱcdと後述の空気調和装置２のＣＯＰvrvcより、（1+1/ＣＯＰvrvc）×Ｑcdとして、Ｑvrvhは暖房エネルギーＱhdと後述の空気調和装置２のＣＯＰvrvhより、（1-1/ＣＯＰvrvh）×Ｑhdとして、計算することもできる。熱エネルギー利用情報取得部２０ａは、このような計算により、熱交換器入力エネルギー（Ｑvrvc−Ｑvrvh）〔ｋＷ〕を得ることもできる。
【００４２】
（２）空気調和装置のＣＯＰの取得
空気調和装置ＣＯＰ取得部２０ｂは、空気調和装置２の成績係数（ＣＯＰvrvc，ＣＯＰvrvh）を直接的または間接的に取得するが、空気調和装置２のＣＯＰvrvc，ＣＯＰvrvhは目標温度Ｔｔの関数として取得される。ＣＯＰvrvc（Ｔｔ），ＣＯＰvrvh（Ｔｔ）を取得する方法は種々あるが、例えば、利用装置電力計３１の系統別電力計３１ａ，…３１ｂが計測した室外機３ａ，…３ｂの消費電力と温度センサ２２ａ，…２２ｂが測定した室外機３ａ，…３ｂの熱媒体入口温度（水熱媒５の温度）を得ることにより取得することができる。予め一つの系統が、冷房または暖房を行っているときの室外機３ａ，…３ｂの熱媒体入口温度と消費電力とＣＯＰvrvc及びＣＯＰvrvhとの関係を計測してデータを得ておくことにより予め熱媒体入口温度と消費電力にＣＯＰvrvcまたはＣＯＰvrvhを関連付けておけば、熱媒体入口温度と消費電力が分かればＣＯＰvrvcまたはＣＯＰvrvhを目標温度Ｔｔの関数として特定される。ここでは、熱媒体入口温度と消費電力とＣＯＰvrvc，ＣＯＰvrvhとの関係を示すデータが空気調和装置ＣＯＰ記憶部２０ｇに記憶されており、空気調和装置ＣＯＰ取得部２０ｂが室外機３ａ，…３ｂのうち冷房を行っているものの系統別電力計３１ａ，…３１ｂの測定結果と温度センサ２２ａ，…２２ｂの測定結果に基づいて空気調和装置ＣＯＰ記憶部２０ｇから各室外機３ａ，…３ｂのＣＯＰvrvc，ＣＯＰvrvhを取得する。
【００４３】
また、空気調和装置ＣＯＰ取得部２０ｂにおいて、空気調和装置２のＣＯＰvrvc，ＣＯＰvrvhを取得する簡便な方法として、室外機３ａ，…３ｂのうちで、冷房に用いられているものと暖房に用いられているものを特定して、熱媒体入口温度から各室外機３ａ，…３ｂの属する系統のＣＯＰvrvc，ＣＯＰvrvhを個別に求めることもできる。各系統が冷房及び暖房のいずれに用いられているかは、例えば室外機用入口温度センサ２２ａ，…２２ｂと室外機用出口温度センサ２３ａ，…２３ｂのいずれの温度が高いかを比較すれば分かる。空気調和装置ＣＯＰ記憶部２０ｇに、予め測定して熱媒体入口温度と各系統のＣＯＰvrvc，ＣＯＰvrvhとの関係が一対一に対応するよう関連付けたデータを記憶させておけば、空気調和装置ＣＯＰ取得部２０ｂは、利用装置熱媒体入口温度センサ２２の室外機用入口温度センサ２２ａ，…２２ｂ及び、利用装置熱媒体出口温度センサ２３の室外機用出口温度センサ２３ａ，…２３ｂの測定結果とに基づいて空気調和装置ＣＯＰ記憶部２０ｇから各室外機３ａ，…３ｂの属する系統のＣＯＰvrvc，ＣＯＰvrvhを取得することができる。
【００４４】
また、空気調和装置ＣＯＰ取得部２０ｂにおけるＣＯＰの取得において、上述のようにして空気調和装置ＣＯＰ取得部２０ｂが取得したＣＯＰを、各室外機３ａ，…３ｂに水熱媒５から与えられる熱エネルギーを考慮して補正することもできる。そのために、空気調和装置ＣＯＰ取得部２０ｂには、室外機用入口温度センサ２２ａ，…２２ｂ及び室外機用出口温度センサ２３ａ，…２３ｂにより測定された水熱媒５の温度に加え、室外機用流量計３２ａ，…３２ｂにより測定された室外機３ａ，…３ｂに流れる水熱媒５の流量が入力される。空気調和装置ＣＯＰ取得部２０ｂは、室外機３ａ，…３ｂにおける熱交換前と後の水熱媒５の温度差と流量から、室外機３ａ，…がそれぞれ受け取った熱量を得る。
【００４５】
（３）放熱ロスの取得
放熱ロス取得部２０ｃは、蓄熱槽６の放熱ロスＱlossを直接的または間接的に取得する。放熱ロスＱlossは、目標温度Ｔｔ、周囲温度Ｔａ及び断熱係数ρの関数になるが、周囲温度Ｔａ及び断熱係数ρは測定により決定されるので、放熱ロス取得部２０ｃでは目標温度Ｔｔの関数として取得される。放熱ロスＱlossを取得する方法は種々あるが、例えば、周囲温度Ｔａを温度センサ２７ｂにより測定することで放熱ロスＱlossを取得することができる。この場合、予め目標温度Ｔｔを変化させて周囲温度Ｔａに対応する放熱ロスＱlossを測定してデータを得ておくことにより、蓄熱槽６の態様を変えなければ断熱係数ρの変化がないことから放熱ロスＱlossが目標温度Ｔｔの関数として特定される。ここでは、各目標温度Ｔｔについて周囲温度Ｔａに対応する放熱ロスＱlossが蓄熱槽放熱特性記憶部２０ｈに記憶されており、放熱ロス取得部２０ｃが温度センサ２７ｂの測定結果に基づいて放熱ロスＱlossを目標温度Ｔｔの関数として取得する。
【００４６】
なお、蓄熱槽６は、例えばコンクリート製の水槽でコンクリート製の基礎の上に設置されるため、周囲温度Ｔａが蓄熱槽６の雰囲気温度だけでは決まらず、コンクリート製の基礎の温度も測定する必要がある場合もある。しかし、基礎の温度が雰囲気温度の関数になっていれば周囲温度Ｔａだけでも比較的小さな誤差で放熱ロスＱlossを求めることができる。勿論、周囲温度Ｔａに、雰囲気温度だけでなく基礎などの他の温度に関するパラメータが含まれてもよく、その場合にそれらのパラメータを測定するための計測機器を追加することができる。
【００４７】
また、周囲温度Ｔａの値によっては、放熱ロスＱlossが０になったり、あるいは逆に蓄熱体が周囲から熱エネルギーを吸収したりする場合も生じる。例えば、冷房負荷が大きいときに目標温度Ｔｔよりも周囲温度Ｔａが低くなっている場合や暖房負荷が大きいときに目標温度Ｔｔよりも周囲温度Ｔａが高くなっている場合などである。このときには、放熱ロスＱlossの符号を変えて演算を行うことにより、目標温度Ｔｔを導くことができる。つまり、そのような場合には、エネルギーの損失ではなくて利得として計算を行う。
【００４８】
（４）熱源のＣＯＰの取得
熱源ＣＯＰ取得部２０ｄは、熱源７の成績係数（ＣＯＰchc，ＣＯＰchh）を直接的または間接的に取得する。これら熱源７のＣＯＰchc，ＣＯＰchhは目標温度Ｔｔの関数として取得される。ＣＯＰchc（Ｔｔ），ＣＯＰchh（Ｔｔ）を取得する方法は種々あるが、例えば、熱源電力計３５の電力計３５ａ，…３５ｂが計測したチラー７ａ，…７ｂの消費電力とチラー用入口温度センサ２８ａ，…２８ｂとチラー用出口温度センサ２９ａ，…２９ｂで測定した水熱媒５の温度と熱源熱媒体流量計３４のチラー用流量計３４ａ，…３４ｂで測定した流量を得ることにより直接取得することができる。
【００４９】
また、簡便な方法として、例えば、熱源電力計３５の電力計３５ａ，…３５ｂが計測したチラー７ａ，…７ｂの消費電力と温度センサ２７ｃが測定した外気の温度とを得ることにより取得することができる。この場合は、予め各チラー７ａ，…７ｂが、水熱媒５の冷却または加熱を行っているときのチラー７ａ，…７ｂの外気温度と消費電力と流量とＣＯＰchc及びＣＯＰchhとの関係を計測してデータを得ておくことにより予め外気温度と消費電力と流量にＣＯＰchcまたはＣＯＰchhを関連付けておけば、外気温度と消費電力と流量が分かればＣＯＰchcまたはＣＯＰchhを目標温度Ｔｔの関数として特定される。そのために、外気温度と消費電力と流量とＣＯＰchc，ＣＯＰchhとの関係を示すデータが熱源ＣＯＰ記憶部２０ｉに記憶されており、熱源ＣＯＰ取得部２０ｄがチラー７ａ，…７ｂのうち冷却または加熱を行っているものの電力計３５ａ，…３５ｂの測定結果と温度センサ２７ｃの測定結果に基づいて熱源ＣＯＰ記憶部２０ｉからチラー７ａ，…７ｂのＣＯＰchc，ＣＯＰchhを取得する。
【００５０】
上述のようにチラー７ａ，…７ｂがそれぞれ異なる機種であって、それぞれの能力が必ずしも同じでない場合もあるため、それぞれがどの程度の能力を発揮しているかを電力計３５ａ，…３５ｂ及びチラー用流量計の測定結果で把握しているが、もし、チラー７ａ，…７ｂが同じ機種で同一の設定がなされているのであれば、電力計３５ａ，…３５ｂやチラー用流量計３４ａ，…３４ｂでの測定は必要ない。また、目標温度Ｔｔが決まればチラー７ａ，…７ｂがそれぞれ供給する熱エネルギーや水熱媒５の流量が決まるため全体として一体とみなせる場合については目標温度Ｔｔと成績係数とが一対一の関係にあることから、電力計３５ａ，…３５ｂやチラー用流量計３４ａ，…３４ｂでの測定は必要ない。これらのような場合に、熱源ＣＯＰ取得部２０ｄは、目標温度ＴｔとＣＯＰchc，ＣＯＰchhとの関係を熱源ＣＯＰ記憶部２０ｉから取得する。
【００５１】
蓄熱体温度制御部２０ｅでは、熱エネルギー利用情報取得部２０ａと空気調和装置ＣＯＰ取得部２０ｂと放熱ロス取得部２０ｃと熱源ＣＯＰ取得部２０ｄが取得したパラメータを用いて空気調和装置２と蓄熱システム１を含む全体の消費電力Ｗを計算して、消費電力Ｗが最も小さくなるように目標温度Ｔｔを算出する。制御部２０は、この目標温度Ｔｔになるように熱源７のチラー７ａ，…７ｂやポンプ１８などの制御を行う。
【００５２】
（４）その他の制御
制御部２０は、上記の制御以外に、蓄熱システム１を運転するため、バルブ群３７やポンプ群３８などの制御を行う。バルブ群３７には、既に説明した冷暖切替バルブ１１ａ，１１ｂ，１１ｃ，１１ｄ，１５ａ，１５ｂ，１５ｃ，１５ｄや開閉バルブ１２ａ，…１２ｂが含まれる。また、ポンプ群３８には、ポンプ１４やポンプ１８が含まれる。ポンプ１４による室外機３ａ，…３ｂに送られる水熱媒５の流量の調節は、各系統の冷房負荷や暖房負荷の大きさに応じて必要な熱容量を供給できるように制御部２０により行われる。また、ポンプ１８によるチラー７ａ，…７ｂへの水熱媒５の供給のオンオフと流量の調節が制御部２０により調節される。
【００５３】
＜目標温度制御＞
次に、制御部による目標温度の制御について図３を用いて説明する。以下の説明においては、説明を分かり易くするために、空気調和装置２において冷房を行っている系統と暖房を行っている系統が混在しているが、全体として冷房負荷が暖房負荷より大きい場合を例に説明する。
【００５４】
蓄熱槽６に貯留されている水熱媒５の目標温度Ｔｔには、例えば前日の実績に基づいて仮の目標温度Ｔｔ０が設定されている（ステップＳＴ１）。なお、以下の説明において、目標温度に関するデータには添字０を付けて表す。最適な目標温度が算出されるまでの間も蓄熱システム１の運転を行わなければならないため、仮の目標温度Ｔｔ０で運転される。このとき、前日の実績を用いるのは、通常、時間的に近い方が環境や利用状況の変化が少ないからであるが、例えば、曜日ごとに利用状況が変わる場合には、前週の実績を用いることもできる。このように、仮の目標温度Ｔｔ０の設定については空気調和装置２の設置されているところの事情が考慮される。
【００５５】
仮の目標温度Ｔｔ０が設定されると、蓄熱体温度制御部２０ｅが仮の目標温度Ｔｔ０の近傍で複数の候補温度Ｔｔ１，…Ｔｔｎを決定する。なお、以下の説明において、候補温度には添字１からｎを付けて表す。所定の条件で候補温度を決め、例えば、仮の目標温度Ｔｔ０の前後２度の範囲とすると、Ｔｔ０＝２１℃であれば、１９℃、２０℃、２２℃、２３℃を候補温度とする。
【００５６】
目標温度Ｔｔ０及び候補温度Ｔｔ１，…Ｔｔｎについての熱エネルギー利用情報、空気調和装置２のＣＯＰ、放熱ロス及びチラー７ａ，…７ｂのＣＯＰを取得する（ステップＳＴ２）。熱エネルギー利用情報取得部２０ａが取得する熱エネルギー利用情報としては、冷房負荷の方が大きいことから目標温度Ｔｔ０での熱交換入力エネルギー（Ｑvrvc０−Ｑvrvh０）、並びに目標温度Ｔｔ０での空気調和装置２の冷房エネルギーＱcd０及び暖房エネルギーＱhd０がある。空気調和装置ＣＯＰ取得部２０ｂは、空気調和装置２について、冷房を行っている系統全体での冷房の成績係数ＣＯＰvrvc０と暖房を行っている系統全体での暖房の成績係数ＣＯＰvrvh０になる。放熱ロス取得部２０ｃは、仮の目標温度Ｔｔ０での蓄熱槽６の放熱ロスＱloss０を取得する。また、熱源ＣＯＰ取得部２０ｄは、冷房負荷が大きいので、仮の目標温度Ｔｔ０ｄでの熱源の成績係数ＣＯＰchc０を取得する。
【００５７】
同様に、候補温度Ｔｔ１，…Ｔｔｎについても取得し、例えば、候補温度Ｔｔｎであれば熱交換入力エネルギー（Ｑvrvcｎ−Ｑvrvhｎ）、目標温度Ｔｔｎでの空気調和装置２の冷房エネルギーＱcdｎ及び暖房エネルギーＱhdｎ、冷房の成績係数ＣＯＰvrvcｎ、暖房の成績係数ＣＯＰvrvhｎ、放熱ロスＱlossｎ並びに熱源の成績係数ＣＯＰchcｎを取得する。
【００５８】
ステップＳＴ２において仮の目標温度Ｔｔ０及び候補温度Ｔｔ１，…Ｔｔｎにおける消費電力Ｗ０，Ｗ１，…Ｗｎを計算するのに必要なパラメータが取得されると、蓄熱体温度制御部２０ｅで仮の目標温度Ｔｔ０での消費電力Ｗ０，Ｗ１，…Ｗｎが求められる（ステップＳＴ３）。消費電力Ｗ０は次式（１）で求められ、候補温度Ｔｔ１，…Ｔｔｎについては例えば候補温度Ｔｔｎを例に上げると次式（２）で求められる。
【００５９】
Ｗ０＝（Ｑloss０＋Ｑvrvc０-Ｑvrvh０）／ＣＯＰchc０＋Ｑcd０／ＣＯＰvrvc０＋Ｑhd０／ＣＯＰvrvh０…（１）
【００６０】
Ｗｎ＝（Ｑlossｎ＋Ｑvrvcｎ-Ｑvrvhｎ）／ＣＯＰchcｎ＋Ｑcdｎ／ＣＯＰvrvcｎ＋Ｑhdｎ／ＣＯＰvrvhｎ…（２）
【００６１】
次のステップＳＴ４では、ステップＳＴ３で求めた仮の目標温度Ｔｔ０の消費電力Ｗ０と、候補温度Ｔｔ１，…Ｔｔｎの消費電力Ｗ１，…Ｗｎを比較する。消費電力Ｗ０が最小であれば、仮の目標温度Ｔｔ０を目標温度としてそのままステップＳＴ６に進む。もし、候補温度Ｔｔ１，…Ｔｔｎの消費電力Ｗ１，…Ｗｎの中に最小値があれば、ステップＳＴ５において、目標温度をＴｔ０から、消費電力Ｗ１，…Ｗｎの中の最小値を与える候補温度に変更して（ステップＳＴ５）、次のステップＳＴ６に進む。
【００６２】
ステップＳＴ６では、蓄熱体温度制御部２０ｅが所定時間を経過した後に周囲温度Ｔａを取得する。そして、周囲温度Ｔａが現在の目標温度を算出した時の値からどの程度変化しているかを蓄熱体温度制御部２０ｅが検討する。周囲温度Ｔａが大きく変化すると、エネルギー効率を小さく保つため目標温度を変更する必要が生じる場合があるからである。蓄熱体温度制御部２０ｅにおいて、周囲温度Ｔａの変化が予め定めた閾値を超えたと判断されると、ステップＳＴ８に進む。ステップＳＴ６で周囲温度Ｔａの変化が予め定められている閾値の範囲内であればステップＳＴ７に進む。
【００６３】
ステップＳＴ７では、蓄熱体温度制御部２０ｅが熱エネルギー利用情報の変化について検討する。例えば一日のうちでも夏の昼間などは朝方に比べて冷房の要求が高くなるなど、空気調和装置２のエネルギーデマンドが使用状況に応じて大きく変化することがあり、その変化に応じて目標温度を変更する必要がある場合があるからである。蓄熱体温度制御部２０ｅにおいて、例えば熱交換器入力エネルギー（Ｑvrvc−Ｑvrvh）や空気調和装置の冷房エネルギーＱcdや暖房エネルギーＱhd周囲温度Ｔａの変化が予め定めた閾値を超えたと判断されると、ステップＳＴ８に進む。ステップＳＴ７で熱エネルギー利用情報の変化が予め定められている閾値の範囲内であればステップＳＴ９に進む。
【００６４】
ステップＳＴ８では、制御部２０において、現在の目標温度を仮の目標温度に変更する。そして、制御部２０では、変更後の仮の目標温度を用いてステップＳＴ２から計算をやり直す。
【００６５】
ステップＳＴ９では、運転停止の指示があったかどうかを判別する。運転停止の指示がなかった場合には、ステップＳＴ６に戻り、周囲温度Ｔａの変化や熱エネルギー利用情報の変化がないかどうかを監視する。一方、運転停止の指示があった場合には、次の起動のために、現状の目標温度などの実績を記録して運転を停止する（ステップＳＴ１０）。
【００６６】
蓄熱槽６の低温側６ａが目標温度になっているか否かは、制御部２０の蓄熱体温度制御部２０ｅが、計算により得た目標温度に基づき温度センサ２６ａによって監視している。そして、蓄熱体温度制御部２０ｅは、目標温度と測定温度との差がなくなるように熱源７及びポンプ群３８の制御を行う。
【００６７】
なお、上記の説明では、冷房負荷が大きい場合について説明したが、暖房負荷の方が大きい場合には、Ｑvrvc＜Ｑvrvhであるため、符号を入れ替えて熱交換器入力エネルギー（Ｑvrvh−Ｑvrvc）として計算する。また、熱源７のＣＯＰには、水熱媒５を加熱する時の成績係数であるＣＯＰchhが用いられる。
【００６８】
〔第２実施形態〕
＜蓄熱システムの構成＞
第１実施形態の蓄熱システム１は、一つの蓄熱槽６において、比較的水熱媒５の温度が低い低温側６ａと温度が高い高温側６ｂに分けている。しかし、蓄熱槽６の低温側６ａと高温側６ｂの間はなだらかに温度が変化しており、蓄熱槽６を仕切りにより分離して異なる２つの温度にしているわけではない。第２実施形態の蓄熱システムは、蓄熱槽６を複数のエリアに分割し、エリア毎に異なる温度を設定することができるように構成されている。
【００６９】
図４は、第２実施形態に係る蓄熱槽及びその周辺の配管の構成を説明するための図である。図４に示す蓄熱システム１Ａが図１に示す蓄熱システム１と異なるのは、蓄熱槽６０が４つのエリアに分割されているのに対して、蓄熱槽６が分割されていない点である。蓄熱槽６０は、第１槽６０ａ、第２槽６０ｂ、第３槽６０ｃ及び第４槽６０ｄからなり、各槽の容積がほぼ等しくなるように分割されている。そして、第１槽６０ａと第２槽６０ｂの間、第２槽６０ｂと第３槽６０ｃの間、及び第３槽６０ｃと第４槽６０ｄの間は、それぞれパイプ６１，６２，６３で接続されている。パイプ６１，６２，６３は、それぞれ、第２槽６０ｂ、第３槽６０ｃ及び第４槽６０ｄの深いところから、隣の第１槽６０ａ，第２槽６０ｂ及び第３槽６０ｃの浅いところに延びている。それにより、第２槽６０ｂ、第３槽６０ｃ及び第４槽６０ｄの深いところにある温度の比較的低い水熱媒５が、第１槽６０ａ，第２槽６０ｂ及び第３槽６０ｃに移動し、または第１槽６０ａ，第２槽６０ｂ及び第３槽６０ｃの浅いところにある温度の比較的高い水熱媒５が、第２槽６０ｂ、第３槽６０ｃ及び第４槽６０ｄに移動する。
【００７０】
配管１０ｃ，１０ｄには、それぞれ枝配管１０c1，１０c2，１０c3，１０c4、１０d1，１０d2，１０d3，１０d4が設けられており、枝配管１０c1，１０c2，１０c3、１０ｄ1，１０d2，１０d3，１０d4にはそれぞれ開閉バルブ４１，４２，４３，４４及び開閉バルブ５１，５２，５３，５４が設けられている。第１槽６０ａには、熱源７から枝配管１０c１または枝配管１０d４によって水熱媒５が供給でき、同様に第２槽６０ｂ、第３槽６０ｃ及び第４槽６０ｄには、それぞれ、熱源７から枝配管１０c2，１０c3，１０c4または枝配管１０c2、１０c3、１０c4によって水熱媒５が供給できるように構成されている。
【００７１】
例えば、冷房負荷が暖房負荷よりも大きい場合には配管１０ａにより空気調和装置２に比較的低温の水熱媒５が供給されるが、冷房負荷の大きさによって供給すべき熱容量が決まるので、第１槽６０ａのみから供給する場合に比べて第１槽６０ａ及び第２槽６０ｂから供給する場合には水熱媒５の温度を高く設定することができる。例えば、第１槽６０ａのみを２０℃にする場合でも、第１槽６０ａと第２槽６０ｂの両方を使えば両方を２５℃にすることができるなどである。
【００７２】
上述のような分割したエリアの使い分けを図５に示す。図５（ａ）には、第１槽６０ａのみが２０℃に制御されている状態を示している。そのために、熱源７からは枝配管１０c1を通して２０℃よりも温度の低い水熱媒５が第１槽６０ａに供給され、配管１０ａで第１槽６０ａから空気調和装置２に２０℃の水熱媒５が供給され、配管１０ｂで空気調和装置２から第４槽６０ｄに温まった水熱媒５が戻される。このとき、熱源７から第１槽６０ａに水熱媒５を供給するために、冷暖切替バルブ１５ａ，１５ｄ及び開閉バルブ４１，５１が開き、他の冷暖切替バルブ１５ｂ，１５ｃ及び開閉バルブ４２，４３，４４．５２．５３．５４が閉じている。従って、第２槽６０ｂ、第３槽６０ｃ及び第４槽６０ｄは、空気調和装置２から戻された水熱媒５により比較的高い温度、図５（ａ）では３０℃になっている。しかし、３０℃という温度は、温度制御された結果ではないため、周囲温度や空気調和装置２の使用状態により変化する。
【００７３】
図５（ｂ）には、第１槽６０ａ及び第２槽６０ｂが２５℃に制御されている状態を示している。そのために、熱源７からは枝配管１０c2を通して２５℃よりも温度の低い水熱媒５が第２槽６０ｂに供給され、配管１０ａで第１槽６０ａから空気調和装置２に２５℃の水熱媒５が供給され、配管１０ｂで空気調和装置２から第４槽６０ｄに温まった水熱媒５が戻される。このとき、熱源７から第２槽６０ｂに水熱媒５を供給するために、冷暖切替バルブ１５ａ，１５ｄ及び開閉バルブ４２，５１が開き、他の冷暖切替バルブ１５ｂ，１５ｃ及び開閉バルブ４１，４３，４４，５２，５３，５４が閉じている。従って、第３槽６０ｃ及び第４槽６０ｄは、空気調和装置２から戻された水熱媒５により比較的高い温度、図５（ａ）では３０℃になっている。しかし、３０℃という温度は、温度制御された結果ではないため、周囲温度や空気調和装置２の使用状態により変化する。
【００７４】
なお、第２実施形態による蓄熱システム１Ａと第１実施形態による蓄熱システム１とが構成上異なるのは、冷暖切替バルブ１１ａ，１１ｂ，１１ｃ，１１ｄと冷暖切替バルブ１５ａ，１５ｂ，１５ｃ，１５ｄと間にある部分である。従って、冷暖切替バルブ１１ａ，１１ｂ，１１ｃ，１１ｄと空気調和装置２との間の構成、及び冷暖切替バルブ１５ａ，１５ｂ，１５ｃ，１５ｄから熱源７に至る構成は、第２実施形態の蓄熱システム１Ａでも第１実施形態の蓄熱システム１と同じになっている。
【００７５】
＜蓄熱槽分割による効果＞
図５（ａ）と図５（ｂ）の２つの状態を比較しながら、エネルギー効率との関係でどのような選択が行われるかについて説明する。図５（ａ）と図５（ｂ）を比較すると、一般的には、図５（ａ）の方が空気調和装置２で比較的高いエネルギー効率が期待できる半面、蓄熱槽６０における放熱ロスが大きくなる傾向がある。一方、図５（ｂ）は逆に、空気調和装置２でのエネルギー効率が劣るものの蓄熱槽６０の放熱ロスは小さくできる。このことを数値によって説明すると、仮に冷房負荷が３０〔ｋＷ〕であり、空気調和装置２のＣＯＰが水熱媒５の目標温度２０℃で３、２５℃で２であり、放熱ロスが目標温度２０℃で４〔ｋＷ〕、２５℃で０〔ｋＷ〕であり、熱源７のＣＯＰが目標温度２０℃で２、２５℃で３であるとする。そうすると、目標温度２０℃のときに必要なエネルギーＷ20は、Ｗ20＝｛４＋（１＋１÷３）×３０｝÷２＋３０÷３で与えられ、Ｗ20＝３２〔ｋＷ〕となる。一方、目標温度２５℃のときに必要なエネルギーＷ25は、Ｗ25＝０＋（１＋１÷２）×３０｝÷３＋３０÷２で与えられ、Ｗ25＝３０〔ｋＷ〕となる。従って、上述の仮定の下では図５（ｂ）に示す状態の方が好ましい。しかし、上述の仮定で熱源７を考慮しなかった場合には、Ｗ20＝１４であり、Ｗ25＝１５であるから、Ｗ20＜Ｗ25となって逆に図５（ａ）の方が好ましいことになる。このように空気調和装置２の熱エネルギー利用状況と蓄熱槽６０の放熱ロスだけを考慮して目標温度を決定した場合には却って全体のエネルギー効率が悪くなる場合がある。
【００７６】
なお、上記の説明では、第１槽６０ａのみを目標温度に制御する場合と、第１槽６０ａと第２槽６０ｂを目標温度に制御する場合の２通りについて比較して説明した。しかし、蓄熱槽６０が、第１槽６０ａ、第２槽６０ｂ、第３槽６０ｃ及び第４槽６０ｄの４つのエリアからなることから、４通りの組み合わせが可能であり、４通りの組み合わせについて検討することができる場合がある。例えば、図５（ａ）及び図５（ｂ）に示す場合に加え、図５（ｃ）に示すように３つの槽を２７℃に制御する場合、及び図５（ｄ）に示すように４つの槽を２８℃に制御する場合などである。
【００７７】
＜目標温度制御＞
目標温度の決定において、第２実施形態の蓄熱システム１Ａが第１実施形態の蓄熱システム１と異なるのは、蓄熱槽６０のエリアを考慮しなければならない点である。この点について図３のフローチャートに沿って説明する。
【００７８】
ステップＳＴ２において候補温度Ｔｔ１，…Ｔｔｎを決めたときに、その候補温度Ｔｔ１，…Ｔｔｎに対して、蓄熱槽６０の幾つのエリアを使うかを決定する必要がある。これは、空気調和装置２で必要とする熱容量から決定される。そのために、制御部２０は、空気調和装置２から必要とする熱容量に関するデータを取得する。蓄熱槽６０で蓄熱する熱容量は空気調和装置２が必要とする熱容量より大きくなければならないが、余分な水熱媒５を目標温度にしておくと放熱ロスが大きくなる。従って、使用するエリアの数は、必要な熱容量が確保できる範囲で最小のものとなる。
【００７９】
また、ステップＳＴ２において、放熱ロスを取得する場合に、使用するエリアの数によって断熱性が変化する点を補う必要がある。蓄熱槽６０に貯留されている水熱媒５の目標温度が同じでも、例えば第１槽６０ａのみを使う場合と、第１槽６０ａ及び第２槽６０ｂを使う場合では、その表面積が異なるため、後者の方が断熱性が低くなる。そのために、蓄熱槽放熱特性記憶部２０ｈにはエリアの数によって変化する断熱性を考慮したデータを記述しておき、放熱ロス取得部２０ｃはエリアの数もパラメータとして放熱ロスのデータを取得する。断熱性が変化するために蓄熱槽６０の放熱ロスの取得が異なる以外は第１実施形態の蓄熱システム１と同様に、図３のフローチャートに従って目標温度を求めることができる。
【００８０】
〔第３実施形態〕
次に、第３実施形態による蓄熱システムについて図６を用いて説明する。図６に示す第３実施形態の蓄熱システム１Ｂは、熱源として、温泉や河川や井戸水などの自然エネルギーを利用できるように構成されている。蓄熱システム１Ｂにおいて、熱源以外の構成は、第１実施形態の蓄熱システム１と同じであり、同一符号を付した部分は第１実施形態の説明で既に述べているのでこれらの部分の説明を省略する。また、熱源においても、第１の熱源７は、第１実施形態の蓄熱システム１と同様に複数のチラー７ａ，…７ｂである。この熱源７の構成も第１実施形態と同じであるので、説明を省略する。
【００８１】
第３実施形態の蓄熱システム１Ｂにおいて新たに加わっているのは、第２の熱源７１及び第３の熱源７２並びにそれらの周辺の構成である。熱源７１は、例えば温泉や風呂の湯水などで比較的温度が高いため暖房に利用できる水熱媒５を供給できるものである。熱源７１は、例えば４０℃の温泉を貯留槽７１ａに溜めることにより構成されていることから、水熱媒５の温度を上昇させるためのエネルギーを必要としない。この貯留層７１ａに貯えられた水熱媒５は配管１０ｅを通って蓄熱槽６の高温側６ｂに供給される。そのために、配管１０ｅにはポンプ８０が設けられている。また、配管１０ｅで供給される水熱媒５の温度と流量を測定するために温度センサ８４と流量計８８が配管１０ｅに取り付けられている。貯留層７１ａから蓄熱槽６に水熱媒５を送るだけでは溢れてしまうため、貯留槽７１ａから送るのと同量だけ、蓄熱槽６の低温側６ａから配管１０ｆを通して水熱媒５を戻している。また、配管１０ｆで戻される水熱媒５の温度を測定するために温度センサ８５が配管１０ｆに取り付けられている。第２の熱源７１のＣＯＰは、ポンプ８０の消費電力で決まる。
【００８２】
一般的に、温泉などの自然エネルギーを用いるとエネルギー効率が高くなるため、主に第２の熱源７１で熱エネルギーを供給し、温泉の湧出量などが少なく全てをまかなえないときに第１の熱源７と組合わせるようにしてもよい。このように２種類以上の熱源の組み合わせによって熱エネルギーを供給する場合には、組合わせたときの全体としてのＣＯＰを用いて目標温度の計算を行う。そのために、図２の熱源ＣＯＰ記憶部２０ｉには目標温度に対して第１の熱源７と第２の熱源７１を組合わせて用いた場合のＣＯＰを予め記述しておく。第１の熱源７と第２の熱源７１を目標温度に対してどのように組合わせるかは、例えば実験やシミュレーションなどを行うことにより予め決定しておく。
【００８３】
また、第３の熱源７２は、例えば河川や井戸水などで比較的温度が低いため冷房に利用できる水熱媒５を供給できるものである。熱源７２は、例えば１５℃の井戸水を貯留槽７２ａに溜めることにより構成されていることから、水熱媒５の温度を下降させるためのエネルギーを必要としない。この貯留層７２ａに貯えられた水熱媒５は配管１０ｇを通って蓄熱槽６の低温側６ａに供給される。そのために、配管１０ｇにはポンプ８２が設けられている。また、配管１０ｇで供給される水熱媒５の温度と流量を測定するために温度センサ８６と流量計９０が配管１０ｇに取り付けられている。貯留層７２ａから蓄熱槽６に水熱媒５を送るだけでは溢れてしまうため、貯留槽７２ａから送るのと同量だけ、蓄熱槽６の高温側６ｂから配管１０ｈを通して水熱媒５を戻している。また、配管１０ｈで戻される水熱媒５の温度を測定するために温度センサ８７が配管１０ｈに取り付けられている。そのため、第３の熱源７２のＣＯＰは、ポンプ８２の消費電力で決まる。
【００８４】
一般的に、井戸水などの自然エネルギーを用いるとエネルギー効率が高くなるため、主に第３の熱源７２で熱エネルギーを供給し、温泉の湧出量などが少なく全てをまかなえないときに第１の熱源７と組合わせるようにしてもよい。このように２種類以上の熱源の組み合わせによって熱エネルギーを供給する場合には、組合わせたときの全体としてのＣＯＰを用いて目標温度の計算を行う。そのために、図２の熱源ＣＯＰ記憶部２０ｉには目標温度に対して第１の熱源７と第３の熱源７２を組合わせて用いた場合のＣＯＰを予め記述しておく。
【００８５】
なお、ポンプ８０，８２は図２のポンプ群３８に属し、制御部２０により制御される。また、温度センサ８５，８７は熱エネルギーを与える前に相当する温度を測定するので図２の熱源熱媒体入口温度センサ２８に属し、温度センサ８４，８６は熱エネルギーを与えた後に相当する温度を測定するので図２の熱源熱媒体出口温度センサ２９に属し、流量計８８，９０は熱源熱媒体流量計３４に属し、制御部２０の熱源ＣＯＰ取得部２０ｄに熱源のＣＯＰを取得するために必要な測定値を与える。第１の熱源７と第３の熱源７２を目標温度に対してどのように組合わせるかは、例えば実験やシミュレーションなどを行うことにより予め決定しておく。
【００８６】
以上説明したように、第１実施形態の蓄熱システム１と第３実施形態の蓄熱システム１Ｂでは熱源のＣＯＰの取得が異なるだけである。従って、蓄熱システム１Ｂにおいても、図３を用いて説明した蓄熱システム１の目標温度の決定のプロセスと同様のプロセスを経て目標温度が決定される。
【００８７】
＜変形例＞
（ａ）上記実施形態においては、蓄熱システム１，１Ａ，１Ｂの熱エネルギーを利用する熱利用装置として、冷暖房を行う空気調和装置２を例に上げて説明したが、例えば暖房のみあるいは冷房のみを行う空気調和装置や床暖房システムなど他の冷房や暖房のシステムであってもよく、また給湯システムなどの他の熱エネルギー利用部分を含むものであってもよい。また、空気調和装置の種類も、空気調和装置２のようにポンプなどによって熱媒体の流量を変えられる可変冷媒流量制御システムを備えたビルマルチ方式の空気調和装置以外のものであってもよい。また、一つの系統で、冷房と暖房の両方を行える、いわゆる冷暖フリーの空気調和もあるが、蓄積システム２，２Ａ，２Ｂからみれば、一つの系統に対して供給されるエネルギー量とその系統の成績係数の対応関係のバリエーションが増えるだけである。従って、冷暖フリーの空気調和装置の運転状況と成績係数の対応関係を予め実測やシミュレーションなどで把握すれば、一つの系統で冷房または暖房を行う場合と同様に、冷暖フリーの空気調和装置に対しても蓄熱システム１，１Ａ，１Ｂの適用が可能である。
【００８８】
（ｂ）上記実施形態においては、空気調和装置２の室外機３ａ，…３ｂ、蓄熱槽６，６０及び熱源７の周囲温度は、乾球温度を前提に説明を行ったが、気化熱が影響する場合には、湿球温度を考慮してもよい。例えば、蓄熱槽６，６０が開放タイプであれば水の蒸発による放熱ロスが加わるため周囲の湿度を考慮することができる。
【００８９】
（ｃ）上記第２実施形態においては、蓄熱槽６０を４つに分割する場合について説明したが、分割するエリアの数は４つに限られない。しかし、エリアの数を変化させるためには３つ以上に分割することが好ましい。また、分割するときの各エリアの容積比や形状などは同じである必要はなく、使用方法に応じて適宜変化をつけることができる。
【００９０】
（ｄ）上記実施形態においては、熱エネルギー利用情報などの情報をセンサや計測器を用いて取得する場合について説明したが、これらの情報はセンサや計測器を用いた実測に基づいて得られる情報に限られない。例えば、熱エネルギー利用情報は、建物の利用情報（ホテルの場合には宿泊予約情報など）と季節から推測することもできる。また、空気調和装置２の内部情報から推測することもできる。このように、熱エネルギー利用情報など蓄熱体の目標温度の算出に必要な情報や係数には、推定値に基づいて得られる情報や係数を用いてもよい。
【００９１】
＜特徴＞
（１）
蓄熱システム１，１Ａ，１Ｂは、熱利用装置である空気調和装置２に水熱媒５により熱エネルギーを供給する。この水熱媒５は、蓄熱槽６，６０に収容されて熱エネルギーを水熱媒５の温度差という顕熱で蓄える蓄熱体としても機能する。熱源７，７１，７２にはチラー７ａ，…７ｂなどのように他のエネルギーを使って熱エネルギーを得るものばかりでなく、温泉や井戸水など自然に蓄積されている熱エネルギーをそのまま用いるものも含まれる。
【００９２】
蓄熱システム１，１Ａ，１Ｂは、目標温度を算出するため、熱エネルギー利用情報取得部２０ａ（熱エネルギー利用情報取得手段）により熱エネルギー利用情報を取得し、空気調和装置ＣＯＰ取得部２０ｂ（利用側成績係数取得手段）により空気調和装置２に関するＣＯＰを取得し、放熱ロス取得部２０ｃ（放熱ロス取得手段）により蓄熱槽６，６０の放熱ロスを取得し、熱源ＣＯＰ取得部２０ｄ（熱源側成績係数取得手段）により熱源７，７１，７２のＣＯＰを取得する。
【００９３】
蓄熱システム１，１Ａ，１Ｂの蓄熱体温度制御部２０ｅは、Ｗ（Ｔｔ）＝（Ｑloss（Ｔｔ）＋（1+1／ＣＯＰvrvc（Ｔｔ））×Ｑcd−（1-1／ＣＯＰvrvh（Ｔｔ））×Ｑhd）／ＣＯＰch（Ｔｔ）＋Ｑcd／ＣＯＰvrvc（Ｔｔ）＋Ｑhd／ＣＯＰvrvh（Ｔｔ）、あるいはＷ（Ｔｔ）＝（Ｑloss（Ｔｔ）＋Ｑvrvc-Ｑvrvh）／ＣＯＰch（Ｔｔ）＋Ｑcd／ＣＯＰvrvc（Ｔｔ）＋Ｑhd／ＣＯＰvrvh（Ｔｔ）という式により消費電力Ｗを算出する。算出された消費電力Ｗ（Ｔｔ）は目標温度Ｔｔの関数になっているから、この関数の最小値を与える目標温度Ｔｔを選ぶことにより消費電力Ｗを低く抑えることができる。
【００９４】
つまり、この式は、空気調和装置２（熱利用装置）のエネルギーの利用効率が目標温度Ｔｔに影響され、蓄熱槽６，６０におけるエネルギーのロスも目標温度Ｔｔに影響され、熱源７，７１，７２から蓄熱する際のエネルギー効率も目標温度Ｔｔに影響されることを示している。これらの影響を考慮することで全体としてのエネルギーの利用効率を向上させることができるということである。このように空気調和装置２（熱利用装置）と蓄熱システム１，１Ａ，１Ｂを含む全体のエネルギー効率を考慮して目標温度の計算を行えば、全体のエネルギー効率がよくなるように蓄熱体の目標温度を設定できる。そして、上述の式を用いれば消費電力を低く抑えるような目標温度の設定ができる。
【００９５】
また、蓄熱システム１，１Ａ，１Ｂは、蓄熱体及び熱媒体として水熱媒５を用いている。水は、比熱が大きいことから、顕熱で熱エネルギーを貯える蓄熱体としては、体積を小さくして放熱ロスを抑えることができるなどの点で優れている。また、水熱媒５は安定で扱い易いため、使用温度範囲において安全などの観点で使用が制限される温度範囲などがないなど目標温度の算出や制御が容易である。また、河川や井戸水などの自然に蓄積されているエネルギーを使う場合にも有利である。
【００９６】
（２）
蓄熱システム１Ａは、第１槽６０ａ，第２槽６０ｂ，第３槽６０ｃ及び第４槽６０ｄの複数エリアからなる蓄熱槽６０を備えている。これら４つのエリア（第１槽６０ａ，第２槽６０ｂ，第３槽６０ｃ及び第４槽６０ｄ）には、それぞれ、温度センサ２６ａ０，２６ａ１，２６ａ２，２６ａ３、２６ｂ０，２６ｂ１，２６ｂ２，２６ｂ３と、熱源７から水熱媒５の供給を受ける枝配管１０c1，１０c2，１０c3，１０c4や枝配管１０d1，１０d2，１０d3，１０d4を備えており、蓄熱体温度制御部２０ｅにより槽毎の目標温度制御ができるように構成されている。例えば、第１槽６０ａのみで熱容量をまかなえる時に第１槽６０ａだけを目標温度Ｔｔの制御対象にすることにより、制御対象の体積が第１槽６０ａの体積に制限されてエネルギーロスを小さくできる場合がある。一方、前述の熱容量をまかなうために第１槽６０ａと第２槽６０ｂを使えば、目標温度Ｔｔを周囲温度Ｔａの近傍に設定でき、かえってエネルギーロスを小さくできる場合がある。このような複数の選択を可能にすることで、蓄熱槽の放熱ロスの改善と全体のエネルギーロスの改善の両立を行える態様を提供できるようになる。
【符号の説明】
【００９７】
１，１Ａ，１Ｂ  蓄熱システム
２  空気調和装置
３ａ，…３ｂ  室外機
５  水熱媒
６，６０  蓄熱槽
７，７１，７２  熱源
【先行技術文献】
【特許文献】
【００９８】
【特許文献１】特開平８−７５２２０公報
【図１】
2010216698.tif 000003
【図２】
2010216698.tif 000004
【図３】
2010216698.tif 000005
【図４】
2010216698.tif 000006
【図５】
2010216698.tif 000007
【図６】
2010216698.tif 000008